【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
無線ネットワーク上の無線デバイスから、オープン通信チャネルを介してデータを送信するシステムであって、
それぞれが前記無線ネットワークへの通信チャネルを選択的に開閉し、コンピュータプラットフォームを含む一つ又は複数の無線デバイスを備え、
各デバイスは、選択的に通信チャネルを利用して、前記ネットワークを介して他のデバイスと通信する複数のデバイスリソースを含み、各デバイスリソースは、前記システムに対して、アイドルなオープン通信チャネルのデバイスリソースを通知するように要求し、
前記システムは、アイドルなオープン通信チャネルが発生すると、そのような通知を要求した全てのデバイスリソースに対して通知し、各通知されたデバイスリソースは、前記オープン通信チャネルが閉じられる前に、前記オープン通信チャネルを介して選択的にデータを送信し、
前記デバイスリソースはそれぞれ前記システムに対してフラグを送り、アイドルなオープン通信チャネルの通知を要求し、前記システムは、アイドルなオープン通信チャネルが発生すると、フラグを送った全てのデバイスリソースに対して通知するシステム。
【請求項２】
無線ネットワーク上の無線デバイスから、オープン通信チャネルを介してデータを送信するシステムであって、
それぞれが前記無線ネットワークへの通信チャネルを選択的に開閉し、コンピュータプラットフォームを含む一つ又は複数の無線デバイスを備え、
各デバイスは、選択的に通信チャネルを利用して、前記ネットワークを介して他のデバイスと通信する複数のデバイスリソースを含み、各デバイスリソースは、前記システムに対して、アイドルなオープン通信チャネルのデバイスリソースを通知するように要求し、
前記システムは、アイドルなオープン通信チャネルが発生すると、そのような通知を要求した全てのデバイスリソースに対して通知し、各通知されたデバイスリソースは、前記オープン通信チャネルが閉じられる前に、前記オープン通信チャネルを介して選択的にデータを送信し、
前記各デバイスリソースは、アイドルなオープンチャネルを通知するように前記システムに対して促し、前記システムは、そのような促しを記録し、アイドルなオープン通信チャネルが発生すると、前記システムに促した全てのデバイスリソースに通知するシステム。
【請求項３】
請求項２に記載のシステムにおいて、前記無線デバイスは、使用されていない通信チャネルが、閉じられるまでの予め定めた期間、アイドル状態にあることを許可し、前記予め定めた期間のアイドル状態が始まると、アイドルなオープン通信チャネルの通知を要求した全てのデバイスリソースに通知するシステム。
【請求項４】
請求項３に記載のシステムにおいて、前記無線デバイスは、前記予め定めた期間内に、アイドルなオープン通信チャネルの通知を要求した全てのデバイスリソースに通知するシステム。
【請求項５】
無線ネットワークへの通信チャネルを選択的に開閉する無線デバイス上のオープン通信チャネルを介してデータを送信する方法であって、各無線デバイスは、選択的に通信チャネルを利用して、前記ネットワークを介して他のデバイスと通信する複数のデバイスリソースと、コンピュータプラットフォームとを含み、前記方法は、
一つ又は複数のデバイスリソースから、アイドルなオープン通信チャネルの通知を要求することと、
前記無線デバイスから前記無線ネットワークへの通信チャネルを開くことと、
前記オープン通信チャネルがアイドル状態になると、通知を要求した全てのデバイスリソースに通知することと、
前記オープン通信チャネルが閉じられる前に、前記オープン通信チャネルを介して、一つ又は複数の通知されたデバイスリソースからデータを選択的に送信することと
の各ステップを備え、
一つ又は複数のデバイスリソースから、アイドルなオープン通信チャネルの通知を要求する前記ステップは、フラグを送って、オープンチャネルの通知を要求し、
通知を要求した全てのデバイスリソースに通知する前記ステップは、アイドルなオープン通信チャネルが発生すると、フラグを送った全てのデバイスリソースに対して通知する方法。
【請求項６】
無線ネットワークへの通信チャネルを選択的に開閉する無線デバイス上のオープン通信チャネルを介してデータを送信する方法であって、各無線デバイスは、選択的に通信チャネルを利用して、前記ネットワークを介して他のデバイスと通信する複数のデバイスリソースと、コンピュータプラットフォームとを含み、前記方法は、
一つ又は複数のデバイスリソースから、アイドルなオープン通信チャネルの通知を要求することと、
前記無線デバイスから前記無線ネットワークへの通信チャネルを開くことと、
前記オープン通信チャネルがアイドル状態になると、通知を要求した全てのデバイスリソースに通知することと、
前記オープン通信チャネルが閉じられる前に、前記オープン通信チャネルを介して、一つ又は複数の通知されたデバイスリソースからデータを選択的に送信することと
の各ステップを備え、
一つ又は複数のデバイスリソースから、アイドルなオープン通信チャネルの通知を要求する前記ステップは、オープンチャネルの通知を要求するように促し、
前記方法は、更にその促しを記録するステップを備え、
通知を要求した全てのデバイスリソースに通知する前記ステップは、その促しをした全てのデバイスリソースに対して通知する方法。
【請求項７】
無線ネットワークへの通信チャネルを選択的に開閉する無線デバイス上のオープン通信チャネルを介してデータを送信する方法であって、各無線デバイスは、選択的に通信チャネルを利用して、前記ネットワークを介して他のデバイスと通信する複数のデバイスリソースと、コンピュータプラットフォームとを含み、前記方法は、
一つ又は複数のデバイスリソースから、アイドルなオープン通信チャネルの通知を要求することと、
前記無線デバイスから前記無線ネットワークへの通信チャネルを開くことと、
前記オープン通信チャネルがアイドル状態になると、通知を要求した全てのデバイスリソースに通知することと、
前記オープン通信チャネルが閉じられる前に、前記オープン通信チャネルを介して、一つ又は複数の通知されたデバイスリソースからデータを選択的に送信することと
の各ステップを備え、
使用されていない通信チャネルを、それが閉じられるまでの予め定めた期間、アイドル状態であることを許すステップを更に備え、前記予め定めた期間のアイドル状態が始まると、アイドルなオープン通信チャネルの通知を要求した全てのデバイスリソースに通知する前記ステップが引き起こる方法。
【請求項８】
請求項７に記載の方法において、アイドルなオープン通信チャネルの通知を要求した全てのデバイスリソースに通知する前記ステップは、前記予め定めた期間内に引き起こる方法。
【請求項９】
無線ネットワークへの通信チャネルを選択的に開閉する無線デバイスであって、前記無線デバイスは、選択的に通信チャネルを利用して、前記ネットワークを介して他のコンピュータデバイスと通信する複数のデバイスリソースと、コンピュータプラットフォームとを含み、各デバイスリソースは、アイドルなオープン通信チャネルが通知されるように選択的に要求し、前記無線デバイスは、アイドルなオープン通信チャネルが発生すると、そのような通知を要求した全てのデバイスリソースに対して通知し、各通知されたデバイスリソースは、前記オープン通信チャネルが閉じられる前に、前記オープン通信チャネルを介して選択的にデータを送信し、前記デバイスリソースは通信インタフェースを含んでおり、各デバイスリソースは、アイドルなオープンチャネルを通知するように前記通信インタフェースに対して促し、前記通信インタフェースは、そのような促しを記録し、アイドルなオープン通信チャネルが発生すると、前記通信インタフェースを促した全てのデバイスリソースに通知する無線デバイス。
【請求項１０】
無線ネットワークへの通信チャネルを選択的に開閉する無線デバイスであって、前記無線デバイスは、選択的に通信チャネルを利用して、前記ネットワークを介して他のコンピュータデバイスと通信する複数のデバイスリソースと、コンピュータプラットフォームとを含み、各デバイスリソースは、アイドルなオープン通信チャネルが通知されるように選択的に要求し、前記無線デバイスは、アイドルなオープン通信チャネルが発生すると、そのような通知を要求した全てのデバイスリソースに対して通知し、各通知されたデバイスリソースは、前記オープン通信チャネルが閉じられる前に、前記オープン通信チャネルを介して選択的にデータを送信し、前記無線デバイスは、使用されていない通信チャネルが、閉じられるまでの予め定めた期間、アイドル状態であることを許可し、前記予め定めた期間のアイドル状態が始まると、アイドルなオープン通信チャネルの通知を要求した全てのデバイスリソースに通知する無線デバイス。
【請求項１１】
請求項１０に記載の無線デバイスにおいて、前記無線デバイスは、前記予め定めた期間内に、アイドルなオープン通信チャネルの通知を要求した全てのデバイスリソースに通知する無線デバイス。
【請求項１２】
コンピュータ読取可能媒体内において、それぞれ無線ネットワーク上の通信チャネルを選択的に開閉し、選択的に通信チャネルを利用して、前記ネットワークを介して他のデバイスと通信する複数のデバイスリソースを含む無線デバイスに対して、
一つ又は複数のデバイスリソースから、アイドルなオープン通信チャネルの通知を要求することと、
前記無線デバイスから前記無線ネットワークへの通信チャネルを開くことと、
前記オープン通信チャネルがアイドル状態になると、
通知を要求した全てのデバイスリソースに通知することと、
前記オープン通信チャネルが閉じられる前に、前記オープン通信チャネルを介して、一つ又は複数の通知されたデバイスリソースからデータを選択的に送信することと
の各ステップを実行するように命令するプログラムであって、
一つ又は複数のデバイスリソースから、アイドルなオープン通信チャネルの通知を要求する前記ステップは、フラグを送って、オープンなチャネルの通知を要求し、
通知を要求した全てのデバイスリソースに通知する前記ステップは、アイドルなオープン通信チャネルが発生すると、フラグを送った全てのデバイスリソースに対して通知するプログラム。
【請求項１３】
コンピュータ読取可能媒体内において、それぞれ無線ネットワーク上の通信チャネルを選択的に開閉し、選択的に通信チャネルを利用して、前記ネットワークを介して他のデバイスと通信する複数のデバイスリソースを含む無線デバイスに対して、
一つ又は複数のデバイスリソースから、アイドルなオープン通信チャネルの通知を要求することと、
前記無線デバイスから前記無線ネットワークへの通信チャネルを開くことと、
前記オープン通信チャネルがアイドル状態になると、
通知を要求した全てのデバイスリソースに通知することと、
前記オープン通信チャネルが閉じられる前に、前記オープン通信チャネルを介して、一つ又は複数の通知されたデバイスリソースからデータを選択的に送信することと
の各ステップを実行するように命令するプログラムであって、
一つ又は複数のデバイスリソースから、アイドルなオープン通信チャネルの通知を要求する前記ステップは、オープンチャネルの通知を要求するように促し、
前記プログラムはその促しを記録するステップを更に備え、
通知を要求した全てのデバイスリソースに通知する前記ステップは、その促しをした全てのデバイスリソースに対して通知するプログラム。
【請求項１４】
コンピュータ読取可能媒体内において、それぞれ無線ネットワーク上の通信チャネルを選択的に開閉し、選択的に通信チャネルを利用して、前記ネットワークを介して他のデバイスと通信する複数のデバイスリソースを含む無線デバイスに対して、
一つ又は複数のデバイスリソースから、アイドルなオープン通信チャネルの通知を要求することと、
前記無線デバイスから前記無線ネットワークへの通信チャネルを開くことと、
前記オープン通信チャネルがアイドル状態になると、
通知を要求した全てのデバイスリソースに通知することと、
前記オープン通信チャネルが閉じられる前に、前記オープン通信チャネルを介して、一つ又は複数の通知されたデバイスリソースからデータを選択的に送信することと
の各ステップを実行するように命令するプログラムであって、
前記プログラムは、使用されていない通信チャネルを、それが閉じられるまでの予め定めた期間の間、アイドルな状態であることを許すステップを実行することと、前記予め定めた期間のアイドル状態が始まると、アイドルなオープン通信チャネルの通知を要求した全てのデバイスリソースに通知する前記ステップを引き起こすことを更に前記無線デバイスに命令するプログラム。
【請求項１５】
請求項１４に記載のプログラムにおいて、アイドルなオープン通信チャネルの通知を要求した全てのデバイスリソースに通知する前記ステップは、前記予め定めた期間内に起こることを更に前記無線デバイスに命令するプログラム。
【手続補正２】
【補正対象書類名】明細書
【補正対象項目名】０００５
【補正方法】変更
【補正の内容】
【０００５】
本発明は、アイドルなオープン通信チャネルを介して、無線デバイスのデバイスリソースから無線ネットワークにデータを送信するためのシステム、方法、及びコンピュータプログラムである。このシステムは、一つ以上の無線デバイスを含んでいる。各無線デバイスは、それぞれ無線ネットワークへの通信チャネルを選択的に開閉する。また、各無線デバイスは、ネットワークを介して他のデバイスと通信する通信チャネルを選択的に利用する複数のデバイスリソースと、コンピュータプラットフォームとを持っている。各デバイスリソースは、アイドルなオープン通信チャネルの通知を選択的に要求する。そして、このシステムは、アイドルなオープン通信チャネルが発生すると、そのような通知を要求した全てのデバイスリソースに通知する。これによって、通知されたそれぞれのデバイスリソースは、オープン通信チャネルを閉じる前に、オープン通信チャネルを介して、選択的にデータを送信することができる。
【手続補正３】
【補正対象書類名】明細書
【補正対象項目名】００１６
【補正方法】変更
【補正の内容】
【００１６】
本システムは、無線ネットワーク１４上の無線デバイス１２，１８，２０，２２からオープン通信チャネルを介してデータを送信する。ここでは、各デバイスは、無線ネットワーク１４への通信チャネルを選択的に開閉する。そして、複数のデバイスリソース５６，５８，６４，６８，７０，７６を備えたコンピュータプラットフォーム５０を含んでいる各無線デバイスは、ネットワーク１０を介して無線デバイス１２，１８，２０，２２又はサーバ１６のようなその他のデバイスと通信するために、通信チャネルを選択的に利用することができる。また、各デバイスリソースは、アイドルなオープン通信チャネルのデバイスリソースを通知するようにシステムに対して選択的に要求し、このシステムは、アイドルなオープン通信チャネルが発生すると、その通知を要求した全てのデバイスリソース５６，５８，６４，６８，７０，７６に通知し、通知された各デバイスリソースは、オープン通信チャネルを閉じる前に、オープン通信チャネルを介して選択的にデータを送信する。